(57)【要約】【課題】光源ランプの劣化を定量的に検出することが可能なプロジェクターを提供する。【解決手段】プロジェクター１は、投写レンズ１３の射出側に備えられ、投写レンズ１３を覆う閉状態と投写レンズ１３を露出させて画像光を外部に投写させる開状態とを切替可能なレンズシャッター４１と、レンズシャッター４１の投写レンズ１３に対向する面に設置される照度センサー４２と、光源（光源ランプ１１ａ）を点灯させるためのオン操作を受け付けるオン操作受付部（操作パネル２１）と、レンズシャッター４１が閉状態において、オン操作受付部がオン操作を受け付けると、光源を点灯させる光源点灯部（光源制御部２２）と、光源が点灯した状態で、照度センサー４２から照度情報を取得する照度情報取得部（制御部２０）と、照度情報取得部によって取得された照度情報に基づいて、光源が劣化しているか否かを判定する光源劣化判定部（制御部２０）と、を備える。【選択図】図２
2014145815.tif 000002
【特許請求の範囲】
【請求項１】
光源と、前記光源から射出された光を、画像情報に応じて画像光に変調する光変調装置と、前記光変調装置で変調された前記画像光を投写する投写レンズとを有するプロジェクターであって、
前記投写レンズの射出側に備えられ、前記投写レンズを覆う閉状態と前記投写レンズを露出させて前記画像光を外部に投写させる開状態とを切替可能なレンズシャッターと、
前記レンズシャッターの前記投写レンズに対向する面に設置される照度センサーと、
前記光源を点灯させるためのオン操作を受け付けるオン操作受付部と、
前記レンズシャッターが閉状態において、前記オン操作受付部が前記オン操作を受け付けると、前記光源を点灯させる光源点灯部と、
前記光源が点灯した状態で、前記照度センサーから照度情報を取得する照度情報取得部と、
前記照度情報取得部によって取得された前記照度情報に基づいて、前記光源が劣化しているか否かを判定する光源劣化判定部と、
を備えることを特徴とするプロジェクター。
【請求項２】
請求項１に記載のプロジェクターであって、
前記光源劣化判定部によって、前記光源が劣化していると判定された場合に、前記光源が劣化している旨を報知する光源劣化報知部をさらに備えることを特徴とするプロジェクター。
【請求項３】
請求項１または２に記載のプロジェクターであって、
前記照度情報取得部は、前記光源が点灯してから所定の時間の経過後に、前記照度センサーから前記照度情報を取得することを特徴とするプロジェクター。
【請求項４】
請求項１乃至３のいずれか一項に記載のプロジェクターであって、
前記光源劣化判断部は、前記照度情報取得部が前記照度センサーから取得する前記照度情報の変化率に基づいて、前記光源が劣化しているか否かを判定することを特徴とするプロジェクター。
【請求項５】
請求項１乃至４のいずれか一項に記載のプロジェクターであって、
前記光源の近傍の温度を検出する温度センサーと、
前記オン操作受付部が前記オン操作を受け付けると、前記温度センサーから温度情報を取得する温度情報取得部と、
前記温度情報取得部が取得した前記温度情報が、所定の温度以上か否かを判定する温度判定部と、
をさらに備え、
前記温度判定部が、前記温度情報が前記所定の温度未満であると判定した場合に、前記光源劣化判定部は、前記光源が劣化しているか否かを判定する処理を実行し、前記温度情報が前記所定の温度以上であると判定した場合に、前記光源劣化判定部は、前記光源が劣化しているか否かを判定する処理を実行しないことを特徴とするプロジェクター。
【請求項６】
光源と、前記光源から射出された光を、画像情報に応じて画像光に変調する光変調装置と、前記光変調装置で変調された前記画像光を投写する投写レンズと、前記投写レンズの射出側に備えられ、前記投写レンズを覆う閉状態と前記投写レンズを露出させて前記画像光を外部に投写させる開状態とを切替可能なレンズシャッターと、前記レンズシャッターの前記投写レンズに対向する面に設置される照度センサーと、を有するプロジェクターでの制御方法であって、
前記光源を点灯させるためのオン操作を受け付けるオン操作受付ステップと、
前記レンズシャッターが閉状態において、前記オン操作受付ステップによって前記オン操作を受け付けると、前記光源を点灯させる光源点灯ステップと、
前記光源が点灯した状態で、前記照度センサーから照度情報を取得する照度情報取得ステップと、
前記照度情報取得ステップによって取得された前記照度情報に基づいて、前記光源が劣化しているか否かを判定する光源劣化判定ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、プロジェクターの光源ランプとして、高圧水銀ランプやメタルハライドランプ等が利用されている。このような光源ランプには、使用可能な累積使用時間である寿命（以降、「ランプ寿命」とも呼ぶ）がある。ランプ寿命に近い累積使用時間の光源ランプや、ランプ寿命を超えた光源ランプは、ランプの特性が劣化する可能性や、故障により使用不可となる可能性が高く、信頼性が低下する。このため、光源ランプの累積使用時間を計時し、予め定められたランプ交換予定時間が近くなった際に、光源ランプを交換するように、ユーザーに促すプロジェクターが知られている（例えば、特許文献１）。
【０００３】
また、プロジェクターの使用時における光源ランプの照度を含む情報データを用いて、光源ランプの寿命を算定し、さらに光源ランプの交換時期を算定するプロジェクター管理システムが知られている（例えば、特許文献２）。
【先行技術文献】
【特許文献】
【０００４】
【特許文献１】特開２００２−２８７２４３号公報
【特許文献２】特開２００９−２５１４８８号公報
【発明の概要】
【発明が解決しようとする課題】
【０００５】
しかしながら、特許文献１のプロジェクターにおいては、予め定められたランプ交換予定時間に基づいて光源ランプの交換を促すため、光源ランプの個体差（ばらつき）や使用形態によるランプ寿命の伸縮を考慮することができなかった。また、特許文献２のプロジェクターにおいては、定量的にランプ寿命を算定することが可能であるが、照度センサーが、光源ランプから射出される照射光を受光する位置に設置されるため、光や熱等によって、性能が低下してしまう虞があった。
よって、照度センサーの性能の低下を抑制しつつ、光源ランプのランプ寿命、換言すれば光源ランプの劣化（輝度低下）を定量的に検出することが可能なプロジェクターが求められていた。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光を、画像情報に応じて画像光に変調する光変調装置と、前記光変調装置で変調された前記画像光を投写する投写レンズとを有するプロジェクターであって、前記投写レンズの射出側に備えられ、前記投写レンズを覆う閉状態と前記投写レンズを露出させて前記画像光を外部に投写させる開状態とを切替可能なレンズシャッターと、前記レンズシャッターの前記投写レンズに対向する面に設置される照度センサーと、前記光源を点灯させるためのオン操作を受け付けるオン操作受付部と、前記レンズシャッターが閉状態において、前記オン操作受付部が前記オン操作を受け付けると、前記光源を点灯させる光源点灯部と、前記光源が点灯した状態で、前記照度センサーから照度情報を取得する照度情報取得部と、前記照度情報取得部によって取得された前記照度情報に基づいて、前記光源が劣化しているか否かを判定する光源劣化判定部と、を備えることを特徴とする。
【０００８】
このようなプロジェクターによれば、レンズシャッターは、投写レンズを閉状態または開状態に切り替える。ここで、閉状態とは、レンズシャッターが完全に閉塞された状態を示し、開状態とは、レンズシャッターが完全に開放された状態を示す。照度センサーは、レンズシャッターの投写レンズに対向する面に設置される。光源点灯部は、レンズシャッターが閉状態において、光源を点灯させるためのオン操作を受け付けると、光源を点灯する。照度情報取得部は、光源が点灯した状態で、照度センサーから照度情報を取得する。光源劣化判定部は、照度情報に基づいて、光源が劣化しているか否かを判定する。これにより、レンズシャッターが閉状態において、光源ランプの劣化状態を判定することが可能になる。また、レンズシャッターは、開状態においては、投写レンズが露出される位置となるため、照度センサーに光が照射されない。よって、照度センサーの性能の低下を抑制することができる。
【０００９】
［適用例２］上記適用例に係るプロジェクターにおいて、前記光源劣化判定部によって、前記光源が劣化していると判定された場合に、前記光源が劣化している旨を報知する光源劣化報知部をさらに備えることを特徴とする。
【００１０】
このようなプロジェクターによれば、光源劣化報知部は、光源が劣化していると判定された場合に、その旨を報知する。これにより、ユーザーは、光源が劣化していることを認識することができる。
【００１１】
［適用例３］上記適用例に係るプロジェクターにおいて、前記照度情報取得部は、前記光源が点灯してから所定の時間の経過後に、前記照度センサーから前記照度情報を取得することを特徴とする。
【００１２】
このようなプロジェクターによれば、照度情報取得部は、光源が点灯してから所定の時間の経過後に、照度センサーから照度情報を取得する。これにより、光源を点灯してから、輝度がある程度上昇するまで待つことになるため、照度センサーによって、適正な照度を検出することが可能になる。
【００１３】
［適用例４］上記適用例に係るプロジェクターにおいて、前記光源劣化判断部は、前記照度情報取得部が前記照度センサーから取得する前記照度情報の変化率に基づいて、前記光源が劣化しているか否かを判定することを特徴とする。
【００１４】
このようなプロジェクターによれば、光源劣化判断部は、照度センサーから取得する照度情報の変化率に基づいて、光源が劣化しているか否かを判定する。これにより、光源の劣化状態の判定精度を向上することができる。
【００１５】
［適用例５］上記適用例に係るプロジェクターにおいて、前記光源の近傍の温度を検出する温度センサーと、前記オン操作受付部が前記オン操作を受け付けると、前記温度センサーから温度情報を取得する温度情報取得部と、前記温度情報取得部が取得した前記温度情報が、所定の温度以上か否かを判定する温度判定部と、をさらに備え、前記温度判定部が、前記温度情報が前記所定の温度未満であると判定した場合に、前記光源劣化判定部は、前記光源が劣化しているか否かを判定する処理を実行し、前記温度情報が前記所定の温度以上であると判定した場合に、前記光源劣化判定部は、前記光源が劣化しているか否かを判定する処理を実行しないことを特徴とする。
【００１６】
このようなプロジェクターによれば、オン操作を受け付けると、温度情報取得部は、温度センサーによって光源の近傍の温度を取得する。温度判定部は、温度情報が所定の温度より高いか否かを判定する。温度判定部が、温度情報が所定の温度未満であると判断した場合に、光源劣化判定部は、光源が劣化しているか否かを判定する処理を実行し、温度情報が所定の温度以上であると判断した場合に、光源劣化判定部は、光源が劣化しているか否かを判定する処理を実行しない。つまり、オン操作を受け付けたときに、光源の近傍が所定の温度以上の場合は、光源の輝度の立ち上がり方（換言すれば、照度情報の立ち上がり方）が所定の温度未満の場合と異なる。よって、光源が劣化しているか否かの判定を正しく行うことができないため、判定処理を行わない。これにより、誤った判定が行われる事態を回避することができる。
【００１７】
［適用例６］本適用例に係るプロジェクターの制御方法は、光源と、前記光源から射出された光を、画像情報に応じて画像光に変調する光変調装置と、前記光変調装置で変調された前記画像光を投写する投写レンズと、前記投写レンズの射出側に備えられ、前記投写レンズを覆う閉状態と前記投写レンズを露出させて前記画像光を外部に投写させる開状態とを切替可能なレンズシャッターと、前記レンズシャッターの前記投写レンズに対向する面に設置される照度センサーと、を有するプロジェクターでの制御方法であって、前記光源を点灯させるためのオン操作を受け付けるオン操作受付ステップと、前記レンズシャッターが閉状態において、前記オン操作受付ステップによって前記オン操作を受け付けると、前記光源を点灯させる光源点灯ステップと、前記光源が点灯した状態で、前記照度センサーから照度情報を取得する照度情報取得ステップと、前記照度情報取得ステップによって取得された前記照度情報に基づいて、前記光源が劣化しているか否かを判定する光源劣化判定ステップと、を備えることを特徴とする。
【００１８】
このようなプロジェクターの制御方法によれば、レンズシャッターが閉状態において、光源ランプの劣化状態を判定することが可能になる。また、レンズシャッターは、開状態においては、投写レンズが露出される位置となるため、照度センサーに光が照射されない。よって、照度センサーの性能の低下を抑制することができる。
【００１９】
また、上述したプロジェクター、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００２０】
【図１】実施形態のプロジェクターを前方から見た斜視図であり、（ａ）は、レンズシャッターを閉塞した状態の斜視図、（ｂ）は、レンズシャッターを開放した状態の斜視図。
【図２】プロジェクターの概略構成を示すブロック図。
【図３】プロジェクターの光源装置の照度検証処理を表すフローチャート。
【発明を実施するための形態】
【００２１】
（実施形態）
以下、実施形態として、光源から射出された光を画像信号に基づいて変調して画像光を形成し、この画像光を外部のスクリーン等に投写するプロジェクターについて、図面を参照して説明する。
【００２２】
図１は、本実施形態のプロジェクターを前方から見た斜視図であり、（ａ）は、レンズシャッターを閉塞した状態の斜視図であり、（ｂ）は、レンズシャッターを開放した状態の斜視図である。
図１（ａ），（ｂ）に示すように、プロジェクター１は、装置本体を収容する筐体５を備えて構成されており、筐体５の上面５ｔには、ユーザーにより入力操作が行われる操作パネル２１が配置されている。
【００２３】
筐体５の前面５ｆには、レンズシャッター４１が設けられている。レンズシャッター４１は、モーター等のシャッター駆動部（図１では図示せず）によって、駆動される。図１（ａ）では、投写レンズ１３および開口部７を覆うようにレンズシャッター４１が閉塞された状態となっている。プロジェクター１を使用しない場合には、このようにレンズシャッター４１を閉塞することで、投写レンズ１３の保護やプロジェクター１の内部への埃の侵入等を防ぐことができる。また、レンズシャッター４１の投写レンズ１３に対向する面には、照度センサー４２が設置されている。
【００２４】
図１（ｂ）に示すように、レンズシャッター４１が開放されると、開口部７に設けられた投写レンズ１３が露出される。そして、プロジェクター１は、画像情報に基づく画像を前方の投写面（図１では図示せず）に投写することができる。照度センサー４２は、レンズシャッター４１とともに投写レンズ１３に対向しない位置に移動される。
【００２５】
図２は、プロジェクター１の概略構成を示すブロック図である。
図２に示すように、プロジェクター１は、画像投写部１０、制御部２０、操作パネル２１、光源制御部２２、ＬＥＤ（Light Emitting Diode）制御部２３、ＬＥＤ２４、画像情報入力部３０、画像処理部３１、ＯＳＤ処理部３２、シャッター駆動部４０、レンズシャッター４１、照度センサー４２等を備えている。
【００２６】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４、温度センサー１５等で構成されている。画像投写部１０は、表示部に相当するものであり、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２７】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２９】
温度センサー１５は、サーミスター等で構成される。温度センサー１５は、光源装置１１の近傍（即ち光源ランプ１１ａの近傍）に設置され、光源装置１１の近傍の温度を検出し、検出値を制御部２０に出力する。光源ランプ１１ａ（光源装置１１）は、発光することによって熱を発する。なお、温度センサー１５は、光源ランプ１１ａや光源装置１１に直接取り付けられてもよい。
【００３０】
本実施形態では、電源オン操作が行われると、温度センサー１５の検出値と所定の温度との比較が行われる。検出値が所定の温度未満の場合は、光源ランプ１１ａが低温の状態、即ちしばらく点灯されていない状態から点灯（「コールドスタート」と呼ぶ。）されたとみなされる。また、検出値が所定の温度以上の場合は、光源ランプ１１ａが高温の状態、即ち直前まで点灯されていた状態から再点灯（「ホットスタート」と呼ぶ。）されたとみなされる。ホットスタートの場合には、光源ランプ１１ａを点灯した後の輝度の立ち上がりが早いため、光源ランプ１１ａの照度センサー４２によるランプ寿命（光源ランプ１１ａの劣化度合）の測定に適さない。よって、本実施形態では、コールドスタートの場合に限り、光源ランプ１１ａの照度センサー４２による照度の検出を行い、ランプ寿命（光源ランプ１１ａの劣化度合）の測定が行われる。
【００３１】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１の動作を統括制御する。また、制御部２０は、タイマー（図示せず）を内蔵しており、計時を行う。
【００３２】
操作パネル２１は、ユーザーのキー操作を受け付ける操作受付部に相当するものであり、ユーザーがプロジェクター１に対して各種指示を行うための複数の操作キーを備えている。本実施形態の操作パネル２１が備える操作キーとしては、電源のオン・オフを切り替えるための電源キー、入力された画像情報を切り替えるための入力切替キー、各種設定用のメニュー画像を表示させるメニューキー、メニュー画像における項目の選択等に用いられる方向キー、選択した項目を確定させるための決定キー等がある。
【００３３】
ユーザーが操作パネル２１の各種操作キーを操作すると、操作パネル２１は、この操作を受け付けて、操作された操作キーに対応する制御信号を制御部２０に出力する。そして、制御部２０は、操作パネル２１から制御信号が入力されると、入力された制御信号に基づく処理を行って、プロジェクター１の動作を制御する。なお、操作パネル２１の代わりに、あるいは操作パネル２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００３４】
光源制御部２２は、制御部２０の指示に基づいて、光源装置１１に対する電力の供給と停止とを制御し、光源ランプ１１ａの点灯および消灯を切り替える。
【００３５】
ＬＥＤ制御部２３は、制御部２０の指示に基づいて、ＬＥＤ２４に対する電力の供給と停止とを制御し、ＬＥＤ２４の点灯および消灯を切り替える。
【００３６】
ＬＥＤ２４は、ＬＥＤ制御部２３によって制御される１つまたは複数のＬＥＤである。本実施形態では、ＬＥＤ２４は、その点灯状態（色、点滅パターン等）によって使用者に光源ランプ１１ａの劣化状態（交換時期等）を報知する。
【００３７】
シャッター駆動部４０は、モーターやギヤ等（いずれも図示せず）を有して構成されており、制御部２０の指示に基づいて、レンズシャッター４１を可動させる。シャッター駆動部４０は、レンズシャッター４１を、投写レンズ１３を覆うように閉塞させる閉塞位置と投写レンズ１３を開放させる開放位置との間を移動させる。
【００３８】
照度センサー４２は、フォトダイオード等を有して構成される。照度センサー４２は、レンズシャッター４１の投写レンズ１３に対向する面に設置される。本実施形態では、照度センサー４２の設置位置は、レンズシャッター４１が閉塞された際に、投写レンズ１３の光軸に近い位置とする。そして、照度センサー４２は、レンズシャッター４１の投写レンズ１３に対向する面における照度を検出する。これにより、レンズシャッター４１が閉塞されており、光源ランプ１１ａが点灯されている場合に、照度センサー４２は、光源ランプ１１ａから発光され、投写レンズ１３を介して射出される投写光の照度を検出する。照度センサー４２がこのように検出した照度の値は、制御部２０によって取得される。
【００３９】
画像情報入力部３０は、複数の入力端子を備えており、これらの入力端子には、ビデオ再生装置やパーソナルコンピューター等、図示しない外部の画像供給装置から各種形式の画像情報が入力される。制御部２０からの指示に基づき、画像情報入力部３０は画像情報を選択し、選択した画像情報を画像処理部３１に出力する。
【００４０】
画像処理部３１は、画像情報入力部３０から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３１は、制御部２０の指示に基づいて、変換した画像情報に対して、明るさ、コントラスト、シャープネス、色合い等の画質を調整するための画質調整処理等を行い、処理後の画像情報をＯＳＤ処理部３２に出力する。
【００４１】
ＯＳＤ処理部３２は、制御部２０の指示に基づいて、入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部３２は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３２は、必要なＯＳＤ画像情報をＯＳＤメモリーから読み出し、入力画像上の所定の位置にＯＳＤ画像が重畳されるように、画像処理部３１から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３２は、画像処理部３１から入力される画像情報を、そのまま液晶駆動部１４に出力する。
【００４２】
液晶駆動部１４が、ＯＳＤ処理部３２から入力される画像情報に従って液晶ライトバルブ１２Ｒ，１２Ｇ，１２Ｂを駆動すると、液晶ライトバルブ１２Ｒ，１２Ｇ，１２Ｂによって画像情報に応じた画像光に変調され、この画像光が投写レンズ１３から投写される。
【００４３】
次に、プロジェクター１の動作について説明する。プロジェクター１の操作パネル２１に備わる電源キーが押下され、電源オンされると、プロジェクター１は動作を開始する。このときの電源キーがオン操作受付部に相当する。なお、電源オフの状態では、プロジェクター１のレンズシャッター４１は閉状態となっている。
図３は、プロジェクター１の光源装置１１の照度検証処理を表すフローチャートである。
【００４４】
電源キーが押下されると、制御部２０は、温度センサー１５の検出値（温度情報）を取得する（ステップＳ１０１）。このときの制御部２０が、温度情報取得部に相当する。制御部２０は、温度センサー１５の検出値が、所定の温度以上か否かを判定する（ステップＳ１０２）。このときの制御部２０が、温度判定部に相当する。
【００４５】
温度センサー１５の検出値が、所定の温度以上でない場合、つまり、コールドスタートの場合（ステップＳ１０２：ＮＯ）、制御部２０は、光源制御部２２に指示を出して、光源ランプ１１ａを点灯させる（ステップＳ１０３）。このときの制御部２０および光源制御部２２が、光源点灯部に相当する。また、このとき、画像処理部３１は、画像情報の全ての画素値を、光透過率が最大となる画素値に設定しておくことが好ましい。そして、制御部２０は、内蔵するタイマーを用いて２秒間（所定の時間）の待ち処理を行う（ステップＳ１０４）。これは、光源ランプ１１ａの輝度の立ち上がりを待つための時間である。なお、待ち時間は２秒に限定するものではない。
【００４６】
次に、制御部２０は、照度センサー４２の検出値（照度情報）を取得する（ステップＳ１０５）。このときの制御部２０が、照度情報取得部に相当する。制御部２０は、照度センサー４２の検出値が、所定の照度以上か否かを判定する（ステップＳ１０６）。ここで、所定の照度とは、光源ランプ１１ａから射出される投写光の輝度が低下（劣化）し、光源ランプ１１ａが交換時期となっていると判断するための照度である。このときの制御部２０が、光源劣化判定部に相当する。
【００４７】
照度センサー４２の検出値が、所定の照度以上である場合（ステップＳ１０６：ＹＥＳ）、制御部２０は、画像の投写を開始する（ステップＳ１０７）。このときの画像は、画像情報入力部３０に入力される画像情報に基づく画像であってもよいし、所定の画像情報に基づく画像であってもよい。そして、制御部２０は、シャッター駆動部４０に指示を出して、レンズシャッター４１を開放させる（ステップＳ１０８）。そして、制御部２０は、プロジェクター１を通常動作状態で動作させる（ステップＳ１０９）。そして、プロジェクター１の光源装置１１の照度検証処理を終了する。
【００４８】
照度センサー４２の検出値が、所定の照度以上でない場合（ステップＳ１０６：ＮＯ）、制御部２０は、ＬＥＤ制御部２３に指示を出して、光源ランプ１１ａの劣化（輝度低下）を表すパターンで、ＬＥＤ２４を点滅させる（ステップＳ１１０）。このときのＬＥＤ制御部２３およびＬＥＤ２４が、光源劣化報知部に相当する。制御部２０は、画像の投写を開始する（ステップＳ１１１）。そして、制御部２０は、シャッター駆動部４０に指示を出して、レンズシャッター４１を開放させる（ステップＳ１１２）。そして、プロジェクター１の光源装置１１の照度検証処理を終了する。
【００４９】
温度センサー１５の検出値が、所定の温度以上である場合、つまり、ホットスタートの場合（ステップＳ１０２：ＹＥＳ）、制御部２０は、光源制御部２２に指示を出して、光源ランプ１１ａを点灯させる（ステップＳ１１３）。そして、ステップＳ１０７に移行して、プロジェクター１を通常動作させる。
【００５０】
上述したように、プロジェクター１は、光源ランプ１１ａ（光源装置１１）が劣化（輝度低下）しているか否かを検出することができる。
【００５１】
上述した実施形態によれば、以下の効果が得られる。
（１）プロジェクター１は、レンズシャッター４１が閉塞された閉状態において、オン操作を受け付けると、光源ランプ１１ａの近傍に設置された温度センサー１５の検出値を取得する。温度センサー１５の検出値が、所定の温度以上でない場合、制御部２０は、コールドスタートであると判断して、光源ランプ１１ａの照度検証処理を行う。具体的には、光源ランプ１１ａを点灯した後、レンズシャッター４１の投写レンズ１３に対向する面に設置された照度センサー４２が検出した照度の値が、所定の照度以上か否かを判断する。照度センサー４２が検出した照度の値が、所定の照度以上の場合、光源ランプ１１ａは、劣化していない（即ち交換時期になっていない）と判断する。照度センサー４２が検出した照度の値が、所定の照度未満の場合、光源ランプ１１ａは、劣化している（即ち交換時期である）と判断する。これにより、コールドスタートの場合には、照度センサー４２によって、光源ランプ１１ａの劣化状態を判定することができるため、有益である。また、ホットスタートの場合には、光源ランプ１１ａから射出される投写光の輝度の立ち上がり方が異なる。よって、光源ランプ１１ａの劣化の判定を正しく行うことができないため、光源ランプ１１ａの照度検証処理は行わない。これにより、誤った判定をしてしまう事態を回避することが可能になる。
【００５２】
（２）プロジェクター１は、光源ランプ１１ａの照度検証処理を行った後、レンズシャッター４１を開放する。これにより、レンズシャッター４１に設置された照度センサー４２には、光源ランプ１１ａから射出される投写光が直接照射されることはない。よって、光や熱等による照度センサー４２の性能の低下を抑制することができるため、有益である。
【００５３】
（３）プロジェクター１は、光源ランプ１１ａが劣化している（即ち交換時期である）と判断した場合、光源ランプ１１ａの劣化を表すパターンでＬＥＤ２４を点滅させて、報知する。これにより、ユーザーは、光源ランプ１１ａ（光源装置１１）の劣化（輝度低下）、即ち交換時期であることを認識することができるため、有益である。そして、ユーザーは、プロジェクター１の光源ランプ１１ａ（光源装置１１）の交換等の対応を行うことが可能になる。
【００５４】
（４）プロジェクター１は、光源ランプ１１ａの照度検証処理を行う際に、光源ランプ１１ａが点灯してから所定の時間（２秒）が経過した後に、照度センサー４２から照度の検出値を取得する。これにより、光源ランプ１１ａを点灯してから、輝度がある程度上昇するまで待つことになるため、光源ランプ１１ａの立ち上がり時の輝度のばらつきを回避することができ、照度の測定精度が向上する。
【００５５】
なお、上述した実施形態に限定されず、種々の変更や改良等を加えて実施することが可能である。変形例を以下に述べる。
【００５６】
（変形例１）上記実施形態では、プロジェクター１の制御部２０は、光源ランプ１１ａの照度検証処理を行う際には、光源ランプ１１ａが点灯してから所定の時間が経過した後に、照度センサー４２から照度の検出値を取得し、所定の照度と比較するものとした。しかし、プロジェクター１の制御部２０は、光源ランプ１１ａが点灯した後、照度センサー４２から複数回、照度の検出値を取得して、検出値の変化率（上昇の傾き）に基づいて、光源ランプ１１ａが劣化（輝度低下）しているか否かを判定してもよい。こうすれば、光源ランプ１１ａの劣化状態の判定精度が向上する。
【００５７】
（変形例２）上記実施形態では、光源ランプ１１ａの照度検証処理において、照度センサー４２の検出値と比較する所定の照度は、光源ランプ１１ａから射出される投写光の輝度が低下（劣化）し、光源ランプ１１ａが交換時期となっていると判断するための照度とした。しかし、所定の照度は、光源ランプ１１ａの交換時期に対応する照度には限定しない。例えば、交換時期よりも早い時点で、ユーザーに光源ランプ１１ａの交換の準備をさせるために、所定の照度を交換時期に対応する照度よりも高い値に設定してもよい。
【００５８】
（変形例３）上記実施形態では、照度センサー４２の設置位置は、レンズシャッター４１の投写レンズ１３に対向する面において、レンズシャッター４１が閉塞された際に投写レンズ１３の光軸に近い位置とした。しかし、照度センサー４２の設置位置は、レンズシャッター４１が閉状態のときに、投写レンズ１３から射出された投写光を受光でき、レンズシャッター４１が開状態のときに、投写光が照射されない位置であれば、その位置を限定するものではない。
【００５９】
（変形例４）上記実施形態では、照度センサー４２は、フォトダイオードを有して構成されるものとしたが、照度センサー４２の構成はこれに限定するものではない。例えば、フォトトランジスター等を有する構成としてもよい。
【００６０】
（変形例５）上記実施形態では、光源劣化報知部は、ＬＥＤ制御部２３およびＬＥＤ２４としたが、ＬＥＤに限定するものではない。例えば、プロジェクター１の投写画像に、光源ランプ１１ａの劣化（交換時期）を表すＯＳＤ画像を重畳して表示してもよい。また、プロジェクター１に表示パネル（図示せず）を備えるものとし、当該表示パネルに光源ランプ１１ａの劣化を表す表示をしてもよいし、ブザー（図示せず）等によって、音で報知してもよい。
【００６１】
（変形例６）上記実施形態では、光源装置１１は、放電型の光源ランプ１１ａを有して構成されているが、ＬＥＤ光源やレーザー等の固体光源や、その他の光源を用いることもできる。
【００６２】
（変形例７）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００６３】
１…プロジェクター、５…筐体、５ｆ…前面、５ｔ…上面、７…開口部、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、１５…温度センサー、２０…制御部、２１…操作パネル、２２…光源制御部、２３…ＬＥＤ制御部、２４…ＬＥＤ、３０…画像情報入力部、３１…画像処理部、３２…ＯＳＤ処理部、４０…シャッター駆動部、４１…レンズシャッター、４２…照度センサー。
【図１】
2014145815.tif 000003
【図２】
2014145815.tif 000004
【図３】
2014145815.tif 000005